(57)【要約】【課題】複数の接続先の候補が端末に表示される場合に、接続先の無線通信装置を操作しなくても選択すべき無線通信装置が端末で特定されるようにすることを目的とする。【解決手段】送信手段は、自装置が所属するネットワークの識別子を送信先を指定せずに送信する。送信制御手段は、自装置の周囲で検出された人の動作が予め定められた動作である場合に、識別子を受信した端末における識別子の提示の態様を変化させるように送信手段を制御する。受付手段は、端末からの識別子を用いた接続要求を受け付ける。【選択図】図３
2018182385.tif 000002
【特許請求の範囲】
【請求項１】
自装置が所属するネットワークの識別子を送信先を指定せずに送信する送信手段と、
自装置の周囲で検出された人の動作が予め定められた動作である場合に、前記識別子を受信した端末における前記識別子の提示の態様を変化させるように前記送信手段を制御する送信制御手段と、
前記端末からの前記識別子を用いた接続要求を受け付ける受付手段と
を備える無線通信装置。
【請求項２】
前記人と自装置との距離を他の無線通信装置に通知する通知手段と、
前記人と前記他の無線通信装置との距離を取得する取得手段と
を備え、
前記送信制御手段は、前記人と自装置との距離が前記人と前記他の無線通信装置との距離と比べて最短である場合に、前記端末における前記識別子の提示の態様を変化させるように前記送信手段を制御する
請求項１に記載の無線通信装置。
【請求項３】
前記送信制御手段は、前記端末に表示される前記識別子の外観を変化させることで前記態様を変化させるように前記送信手段を制御する
請求項１又は２に記載の無線通信装置。
【請求項４】
前記送信制御手段は、前記識別子が表示されない状態から前記識別子が表示される状態に変化させることで前記態様を変化させるように前記送信手段を制御する
請求項１又は２に記載の無線通信装置。
【請求項５】
前記人の動作が予め定められた複数の種類の動作のいずれかである場合に、前記人の動作の種類に応じて、自装置が備える複数の機能のいずれかを選択する選択手段を備え、
前記送信制御手段は、選択された前記機能に応じた前記識別子を送信することで前記態様を変化させるように前記送信手段を制御する
請求項１に記載の無線通信装置。
【請求項６】
前記選択手段は、２人以上の人の動作が検出された場合に、自装置との距離が最短の人の動作の種類に関連付けられた機能を選択する
請求項５に記載の無線通信装置。
【請求項７】
前記選択手段は、２人以上の人の動作、且つ、複数の種類の動作が検出された場合に、当該複数の種類の各々に関連付けられた機能のうち予め定められた優先度が最高の機能を選択する
請求項５に記載の無線通信装置。
【請求項８】
前記選択手段は、３人以上の人の動作、且つ、複数の種類の動作が検出された場合に、当該複数の種類のうち検出された人数が最多の種類に関連付けられた機能を選択する
請求項５に記載の無線通信装置。
【請求項９】
前記選択手段は、２人以上の人の動作が自装置と他の無線通信装置とで検出され、且つ、自装置との距離が最短の人との距離が閾値以下である場合に、当該人の動作の種類に関連付けられた機能を選択する
請求項５に記載の無線通信装置。
【請求項１０】
前記選択手段は、２人以上の人の動作が自装置と他の無線通信装置とで検出された場合に、予め定められた複数の手順のうち自装置との距離が最短の人との距離に対応する手順で機能を選択する
請求項５に記載の無線通信装置。
【請求項１１】
前記選択手段は、自装置との距離が最短の人との距離に応じて、機能を選択する条件を異ならせる
請求項１０に記載の無線通信装置。
【請求項１２】
前記選択手段は、自装置との距離が最短の人との距離が第１閾値未満である場合に、自装置との距離が最短の人の動作の種類に関連付けられた機能を選択する
請求項１１に記載の無線通信装置。
【請求項１３】
前記選択手段は、自装置との距離が最短の人との距離が前記第１閾値以上第２閾値未満である場合に、検出された動作の種類に関連付けられた機能のうち予め定められた優先度が最高の機能を選択する
請求項１２に記載の無線通信装置。
【請求項１４】
前記選択手段は、自装置との距離が最短の人との距離が前記第２閾値以上第３閾値未満である場合に、検出された動作の種類のうち検出された人数が最多の種類に関連付けられた機能を選択する
請求項１３に記載の無線通信装置。
【請求項１５】
前記送信制御手段は、前記選択手段による機能の選択後に電波強度を低下させる
請求項９乃至１４のいずれか１項に記載の無線通信装置。
【請求項１６】
他の無線通信装置から受信した識別子を用いて当該他の無線通信装置に接続を要求する要求手段を備え、
前記選択手段は、前記受付手段を動作させ且つ前記要求手段を動作させない第１機能と、前記要求手段を動作させ且つ前記受付手段を動作させない第２機能とのいずれかを選択する
請求項５乃至１５のいずれか１項に記載の無線通信装置。
【発明の詳細な説明】
【技術分野】
【０００１】
本発明は、無線通信装置に関する。
【背景技術】
【０００２】
特許文献１には、通信装置の接続先の選択を支援する技術が記載されている。特許文献１に記載された通信装置は、他の通信装置と接続する処理の開始指示に応じて、既存のネットワークに参加するか、新たにネットワークを構築するかをユーザに選択させ、ユーザによって既存のネットワークに参加することが選択された場合、既存のネットワークを構築している他の通信装置を検索し、ユーザによって新たにネットワークを構築することが選択された場合、既存のネットワークを構築していない他の通信装置を検索し、検索された他の通信装置と接続するように構成されている。
【先行技術文献】
【特許文献】
【０００３】
【特許文献１】特開２０１４−１３１１４５号公報
【発明の概要】
【発明が解決しようとする課題】
【０００４】
無線ＬＡＮのネットワークには、識別子（例えば、ＳＳＩＤ（Service Set Identifier））が予め付与されている。端末は、ネットワークのアクセスポイントから識別子を取得し、取得した識別子を用いて接続の手続を行う。ところが、端末が複数のアクセスポイントから識別子を受信する場合がある。この場合、端末には複数の識別子が表示され、複数の識別子のいずれかをユーザが選択することが必要となる。接続すべきアクセスポイントの識別子をユーザが憶えている場合には、その識別子を選択すればよいが、接続すべきアクセスポイントの識別子をユーザが憶えていない場合や、そもそもアクセスポイントの識別子を知らされていない場合には、識別子の選択が困難になってしまう。
【０００５】
また、接続先のアクセスポイントの設置場所を知っている場合には、設置場所に移動してアクセスポイントを直接操作することで識別子を表示させるという方法もあるが、設置場所がユーザから遠く離れている場合には移動の手間がかかる。また、天井付近など、操作が困難な場所にアクセスポイントが設置されている場合もある。
【０００６】
上記の事情に鑑み、本発明は、複数の接続先の候補が端末に表示される場合に、接続先の無線通信装置を操作しなくても選択すべき無線通信装置が端末で特定されるようにすることを目的とする。
【課題を解決するための手段】
【０００７】
請求項１に係る発明は、自装置が所属するネットワークの識別子を送信先を指定せずに送信する送信手段と、自装置の周囲で検出された人の動作が予め定められた動作である場合に、前記識別子を受信した端末における前記識別子の提示の態様を変化させるように前記送信手段を制御する送信制御手段と、前記端末からの前記識別子を用いた接続要求を受け付ける受付手段とを備える無線通信装置を提供する。
【０００８】
請求項２に係る発明は、請求項１に記載の無線通信装置において、前記人と自装置との距離を他の無線通信装置に通知する通知手段と、前記人と前記他の無線通信装置との距離を取得する取得手段とを備え、前記送信制御手段は、前記人と自装置との距離が前記人と前記他の無線通信装置との距離と比べて最短である場合に、前記端末における前記識別子の提示の態様を変化させるように前記送信手段を制御する。
【０００９】
請求項３に係る発明は、請求項１又は２に記載の無線通信装置において、前記送信制御手段は、前記端末に表示される前記識別子の外観を変化させることで前記態様を変化させるように前記送信手段を制御する。
【００１０】
請求項４に係る発明は、請求項１又は２に記載の無線通信装置において、前記送信制御手段は、前記識別子が表示されない状態から前記識別子が表示される状態に変化させることで前記態様を変化させるように前記送信手段を制御する。
【００１１】
請求項５に係る発明は、請求項１に記載の無線通信装置において、前記人の動作が予め定められた複数の種類の動作のいずれかである場合に、前記人の動作の種類に応じて、自装置が備える複数の機能のいずれかを選択する選択手段を備え、前記送信制御手段は、選択された前記機能に応じた前記識別子を送信することで前記態様を変化させるように前記送信手段を制御する。
【００１２】
請求項６に係る発明は、請求項５に記載の無線通信装置において、前記選択手段は、２人以上の人の動作が検出された場合に、自装置との距離が最短の人の動作の種類に関連付けられた機能を選択する。
【００１３】
請求項７に係る発明は、請求項５に記載の無線通信装置において、前記選択手段は、２人以上の人の動作、且つ、複数の種類の動作が検出された場合に、当該複数の種類の各々に関連付けられた機能のうち予め定められた優先度が最高の機能を選択する。
【００１４】
請求項８に係る発明は、請求項５に記載の無線通信装置において、前記選択手段は、３人以上の人の動作、且つ、複数の種類の動作が検出された場合に、当該複数の種類のうち検出された人数が最多の種類に関連付けられた機能を選択する。
【００１５】
請求項９に係る発明は、請求項５に記載の無線通信装置において、前記選択手段は、２人以上の人の動作が自装置と他の無線通信装置とで検出され、且つ、自装置との距離が最短の人との距離が閾値以下である場合に、当該人の動作の種類に関連付けられた機能を選択する。
【００１６】
請求項１０に係る発明は、請求項５に記載の無線通信装置において、前記選択手段は、２人以上の人の動作が自装置と他の無線通信装置とで検出された場合に、予め定められた複数の手順のうち自装置との距離が最短の人との距離に対応する手順で機能を選択する。
【００１７】
請求項１１に係る発明は、請求項１０に記載の無線通信装置において、前記選択手段は、自装置との距離が最短の人との距離に応じて、機能を選択する条件を異ならせる。
【００１８】
請求項１２に係る発明は、請求項１１に記載の無線通信装置において、前記選択手段は、自装置との距離が最短の人との距離が第１閾値未満である場合に、自装置との距離が最短の人の動作の種類に関連付けられた機能を選択する。
【００１９】
請求項１３に係る発明は、請求項１２に記載の無線通信装置において、前記選択手段は、自装置との距離が最短の人との距離が前記第１閾値以上第２閾値未満である場合に、検出された動作の種類に関連付けられた機能のうち予め定められた優先度が最高の機能を選択する。
【００２０】
請求項１４に係る発明は、請求項１３に記載の無線通信装置において、前記選択手段は、自装置との距離が最短の人との距離が前記第２閾値以上第３閾値未満である場合に、検出された動作の種類のうち検出された人数が最多の種類に関連付けられた機能を選択する。
【００２１】
請求項１５に係る発明は、請求項９乃至１４のいずれか１項に記載の無線通信装置において、前記送信制御手段は、前記選択手段による機能の選択後に電波強度を低下させる。
【００２２】
請求項１６に係る発明は、請求項５乃至１５のいずれか１項に記載の無線通信装置において、他の無線通信装置から受信した識別子を用いて当該他の無線通信装置に接続を要求する要求手段を備え、前記選択手段は、前記受付手段を動作させ且つ前記要求手段を動作させない第１機能と、前記要求手段を動作させ且つ前記受付手段を動作させない第２機能とのいずれかを選択する。
【発明の効果】
【００２３】
請求項１に係る発明によれば、複数の接続先の候補が端末に表示される場合に、接続先の無線通信装置を操作しなくても選択すべき無線通信装置が端末で特定される。
請求項２に係る発明によれば、人との距離が最短の接続先が選択される。
請求項３、４に係る発明によれば、接続先が視覚により認識される。
請求項５に係る発明によれば、人が動作を使い分けることで接続先の機能が選択される。
請求項６に係る発明によれば、自装置との距離が最短の人に識別子が提示される。
請求項７に係る発明によれば、接続先の複数の機能のうち優先度の最も高い機能が提供される。
請求項８に係る発明によれば、接続先の複数の機能のうち最も需要の多い機能が提供される。
請求項９に係る発明によれば、自装置との距離が最短且つ閾値以下の人に、その動作の種類に応じた機能が提供される。
請求項１０に係る発明によれば、自装置と人との距離によって異なる手順で接続先の機能が選択される。
請求項１１、１２、１３、１４に係る発明によれば、自装置との距離が最短の人との距離に応じた条件で機能が選択される。
請求項１５に係る発明によれば、機能の選択後に消費電力が抑制される。
請求項１６に係る発明によれば、アドホックモードの無線通信機能が提供される。
【図面の簡単な説明】
【００２４】
【図１】無線通信装置１のハードウェア構成を示す図。
【図２】端末２のハードウェア構成を示す図。
【図３】制御処理の流れ図。
【図４】端末２における表示例を示す図。
【図５】端末２における別の表示例を示す図。
【図６】制御処理の流れ図。
【図７】制御処理の流れ図。
【図８】判定テーブルを示す図。
【図９】端末２における表示例を示す図。
【図１０】制御処理の流れ図。
【図１１】制御処理の流れ図。
【図１２】制御処理の流れ図。
【図１３】制御処理の流れ図。
【図１４】制御処理の流れ図。
【図１５】端末２における表示例を示す図。
【発明を実施するための形態】
【００２５】
［実施形態］
本発明を実施するための形態の一例について説明する。
図１は、無線通信装置１のハードウェア構成を示す図である。無線通信装置１は、制御部１１、記憶部１２、有線通信部１３、無線通信部１４、入出力ＩＦ部１５（ＩＦ：interface）を備える。記憶部１２は、メモリなどの記憶装置であり、プログラムやデータを記憶する。制御部１１は、プロセッサと、演算のワークエリアとして用いられるメモリを備え、記憶部１２に記憶されたプログラムに従う処理を実行する。
【００２６】
有線通信部１３は、有線ＬＡＮに接続される通信ＩＦである。無線通信装置１は、有線ＬＡＮに接続された電子機器と有線通信部１３を介して通信する。電子機器とは、例えば、ルータ、無線通信装置１と同様の機能を備えた別の無線通信装置、パーソナルコンピュータ、プリンタ、複写機などである。
【００２７】
無線通信部１４は、無線ＬＡＮに接続される通信ＩＦである。無線通信装置１は、無線ＬＡＮに接続された端末２と無線通信部１４を介して通信する。無線ＬＡＮ通信機能の詳細については、後述する。
【００２８】
入出力ＩＦ部１５は、周辺機器が接続される通信ＩＦである。本実施形態に係る周辺機器は、測距機能を備えた撮影装置１６である。撮影装置１６は、例えばデジタルビデオカメラである。測距機能としては、例えばオートフォーカス撮影においてカメラと被写体との距離を計測する公知の測距機能が用いられる。本実施形態における被写体は、端末を所持した人であり、測距機能は、端末２を所持した人と無線通信装置１との距離を計測するために備えられている。そのため、無線通信装置１の設置された空間において不特定の場所に位置する人との間に物体が存在すると撮影と測距の障害物になってしまうため、無線通信装置１の上方に撮影装置１６が設置されてもよい。例えば、無線通信装置１の上方の天井や、無線通信装置１に隣接する壁面や支柱などに撮影装置１６が設置されてもよい。無線通信装置１の近傍に適当な場所がない場合には、三脚などを用いて撮影装置１６が設置されてもよい。
【００２９】
なお、無線通信装置１は、複写機やプリンタなどの電子機器に内蔵又は外付けされてもよい。その場合、電子機器の筐体の上端又は上端付近に撮影装置１６が設けられてもよい。また、撮影装置１６は、無線通信装置１と一体に構成されてもよい。また、撮影装置１６に代えて、測距機能を備えない撮影装置と測距装置が備えられてもよい。
【００３０】
図２は、端末２のハードウェア構成を示す図である。端末は、例えば、スマートフォン、タブレット、パーソナルコンピュータなどである。端末２は、制御部２１、記憶部２２、無線通信部２３、表示部２４、操作部２５を備える。記憶部２２は、メモリなどの記憶装置であり、プログラムやデータを記憶する。制御部２１は、プロセッサと、演算のワークエリアとして用いられるメモリを備え、記憶部２２に記憶されたプログラムに従う処理を実行する。無線通信部２３は、無線ＬＡＮに接続される通信ＩＦである。表示部２４には、端末２を操作するためのＧＵＩ（Graphical User Interface）の画面が表示される。操作部２５は、タッチパネルやマウスなどのポインティングデバイスであり、表示部２４に表示された画面に対する操作を受け付ける。
【００３１】
次に、無線通信装置１の無線ＬＡＮ通信機能について説明する。無線通信装置１は、無線ＬＡＮ通信機能として、アクセスポイント機能とステーション機能とを備え、両機能のいずれか選択され、選択された機能を用いて動作する。以下、アクセスポイントをＡＰ、ステーションをＳＴＡと略記する。ＡＰ機能とＳＴＡ機能のいずれかを選択して動作する無線通信装置１は、ＳＴＡ機能のみを備える端末、又は、ＡＰ機能とＳＴＡ機能のいずれかを選択して動作する他の無線通信装置との間でアドホックモードの無線ＬＡＮ通信を行う。ＡＰ機能とＳＴＡ機能の両方を備える無線通信装置の規格としては、例えばＷｉ−Ｆｉ  Ａｌｌｉａｎｃｅが定めたＷｉ−Ｆｉ  ｄｉｒｅｃｔが知られている。なお、ＡＰ機能とＳＴＡ機能に加えて、無線ＬＡＮのルータとしての機能が無線通信装置１に備えられてもよい。
【００３２】
ＡＰ機能（第１機能の一例）が選択された場合、無線通信装置１は、自装置が所属するネットワークの識別子を送信先を指定せずに送信する（送信手段の一例）。具体的には、無線通信装置１は、自装置が所属するネットワークに対して定められたＳＳＩＤを含むビーコンを定められた周期で送信する。
【００３３】
端末２は、ＳＴＡ機能を備える。端末２は、無線通信装置１から受信した識別子を用いて無線通信装置１に接続を要求する。具体的には、ビーコンを受信した端末２は、ビーコンに含まれる識別子を表示する。端末２のユーザ（端末２を所持する人）は、表示された識別子のいずれかを選択する。端末２は、選択された識別子を含む接続要求を無線通信装置１に送信する。無線通信装置１は、端末２からの接続要求を受け付け（受付手段の一例）、公知の暗号などを用いた認証を経て、接続が完了する。
【００３４】
一方、ＳＴＡ機能（第２機能の一例）が選択された場合、無線通信装置１は、他の無線通信装置から受信した識別子を用いて当該他の無線通信装置に接続を要求する（要求手段の一例）。つまり、ＳＴＡ機能が選択された無線通信装置１は、ＳＴＡ機能を備えた端末と同様に機能する。
【００３５】
無線通信装置１は、識別子を秘匿するステルス機能を備える。ステルス機能が有効化された無線通信装置１は、例えば、識別子を含まないビーコンを送信するなどの手段により、端末２に識別子が送信されないようにする。この場合、端末２には無線通信装置１の識別子は表示されないため、ユーザはその識別子を選択することができないが、端末２からプローブ要求を送信すると、プローブ要求を受信した無線通信装置１は識別子を含むプローブ応答を返信し、プローブ応答に含まれる識別子が端末２に表示される。この識別子をユーザが選択することにより、この識別子を用いた接続要求が無線通信装置１に送信される。
【００３６】
無線通信装置１は、撮影装置１６から受信した画像データを用いた処理を行う。無線通信装置１の制御部１１は、公知の画像処理技術により画像データを解析して人を検出し、検出された人の動作を検出し、検出された動作の種類、検出された人数を判定する。動作の種類としては、人が体を使って行う動作ならばいかなる動作でもよいが、例えば、挙手、手振り、拍手など、手や腕の動作が望ましい。
【００３７】
［第１実施形態］
制御部１１は、自装置が所属するネットワークの識別子を送信先を指定せずに送信する（送信手段の一例）。制御部１１は、自装置の周囲で検出された人の動作が予め定められた動作である場合に、識別子を受信した端末２における識別子の提示の態様を変化させるように送信手段を制御する（送信制御手段の一例）。
【００３８】
図３は、制御処理の流れ図である。無線通信装置１にインストールされたプログラムに従って制御部１１が制御処理を実行する。制御処理は常時実行されてもよく、サーバなどからの指示を契機として実行開始されてもよい。
【００３９】
以下に示す例では、３台の無線通信装置１が設置されており、それぞれＷｉｒｅｌｅｓｓ  Ａ、Ｗｉｒｅｌｅｓｓ  Ｂ、Ｗｉｒｅｌｅｓｓ  Ｃの識別子が定められている。以下では、Ｗｉｒｅｌｅｓｓ  Ａの無線通信装置における制御処理について説明する。
【００４０】
最初に、制御部１１は、ステルス機能を有効化する（ステップＳ１０１）。
図４は、端末２における表示例を示す図である。（ａ）に示すように、Ｗｉｒｅｌｅｓｓ  Ｂ、Ｗｉｒｅｌｅｓｓ  Ｃが表示されるが、ステルス機能が有効化されたＷｉｒｅｌｅｓｓ  Ａは表示されない。
【００４１】
次に、制御部１１は、制御処理を終了するか否かを判定する（ステップＳ１０２）。例えば、サーバなどから終了指示を受信した場合や、無線通信装置１がシャットダウンされた場合などに、制御部１１は制御処理を終了すると判定する。終了すると判定したならば（ステップＳ１０２：ＹＥＳ）、制御部１１は制御処理を終了する。終了しないと判定したならば（ステップＳ１０２：ＮＯ）、制御部１１は、撮影装置１６から受信した画像データを解析し、挙手を検出したか否かを判定する（ステップＳ１０３）。挙手を検出しなかったならば（ステップＳ１０３：ＮＯ）、制御部１１の処理はステップＳ１０２に戻る。挙手を検出したならば（ステップＳ１０３：ＹＥＳ）、制御部１１は、ステルス機能を無効化する（ステップＳ１０４）。これにより、図４（ｂ）に示すように、Ｗｉｒｅｌｅｓｓ  Ａが端末２に表示される。端末２を所持する人がＷｉｒｅｌｅｓｓ  Ａを選択すると、端末２から無線通信装置１に接続要求が送信され、無線通信装置１が接続要求を受け付けて接続手続が行われる（受付手段の一例）。
【００４２】
次に、制御部１１は、ステップＳ１０４の処理後の経過時間を計測し、規定時間が経過したか否かを判定する（ステップＳ１０５）。規定時間が経過したならば（ステップＳ１０５：ＹＥＳ）、制御部１１の処理はステップＳ１０１に戻る。つまり、規定時間が経過すると、Ｗｉｒｅｌｅｓｓ  Ａは表示されなくなる。
【００４３】
図５は、端末２における別の表示例を示す図である。この例は、Ｗｉｒｅｌｅｓｓ  Ｂ、Ｗｉｒｅｌｅｓｓ  Ｃがステルス機能により表示されない場合、あるいは、Ｗｉｒｅｌｅｓｓ  Ｂ、Ｗｉｒｅｌｅｓｓ  Ｃが稼働していない場合などである。ステルス機能が有効化されると、（ａ）に示すようにどの識別子も表示されないが、ステルス機能が無効化されると、（ｂ）に示すようにＷｉｒｅｌｅｓｓ  Ａが表示される。
【００４４】
［第２実施形態］
制御部１１は、人と自装置との距離を他の無線通信装置に通知する（通知手段の一例）。制御部１１は、人と他の無線通信装置との距離を取得する（取得手段の一例）。制御部１１は、人と自装置との距離が人と他の無線通信装置との距離と比べて最短である場合に、端末における識別子の提示の態様を変化させるように送信手段を制御する（送信制御手段の一例）。
【００４５】
図６は、制御処理の流れ図である。最初に、制御部１１は、ステルス機能を有効化する（ステップＳ２０１）。図４（ａ）に示すように、Ｗｉｒｅｌｅｓｓ  Ｂ、Ｗｉｒｅｌｅｓｓ  Ｃが表示されるが、Ｗｉｒｅｌｅｓｓ  Ａは表示されない。
【００４６】
次に、制御部１１は、制御処理を終了するか否かを判定する（ステップＳ２０２）。終了すると判定したならば（ステップＳ２０２：ＹＥＳ）、制御部１１は制御処理を終了する。終了しないと判定したならば（ステップＳ２０２：ＮＯ）、制御部１１は、撮影装置１６から受信した画像データを解析し、挙手を検出したか否かを判定する（ステップＳ２０３）。挙手を検出しなかったならば（ステップＳ２０３：ＮＯ）、制御部１１の処理はステップＳ２０２に戻る。挙手を検出したならば（ステップＳ２０３：ＹＥＳ）、挙手をした人と自装置との距離を撮影装置１６の測距機能により計測する（ステップＳ２０４）。
【００４７】
次に、制御部１１は、人と他の無線通信装置との距離を示す距離情報を取得する。具体的には、他の無線通信装置も自装置と同様に人との距離を計測する機能を備えるから、制御部１１は、他の無線通信装置に距離情報を要求し、距離情報を取得する。また、制御部１１は、人と自装置との距離を他の無線通信装置に通知する（通知手段の一例）（ステップＳ２０５）。なお、自装置と他の無線通信装置との通信は、有線ＬＡＮ経由でも無線ＬＡＮ経由でもよい。
【００４８】
次に、制御部１１は、人と自装置との距離を人と他の無線通信装置との距離と比較し（ステップＳ２０６）、人と自装置との距離が人と他の無線通信装置との距離と比べて最短であるか否かを判定する（ステップＳ２０７）。人と自装置との距離が最短でない場合には（ステップＳ２０７：ＮＯ）、制御部１１の処理はステップＳ２０２に戻る。人と自装置との距離が最短である場合には（ステップＳ２０７：ＹＥＳ）、制御部１１は、機能変更（この例では、ステルス機能の無効化）を他の無線通信装置に通知し（ステップＳ２０８）、ステルス機能を無効化する（ステップＳ２０９）。これにより、図４（ｂ）に示すように、Ｗｉｒｅｌｅｓｓ  Ａが端末２に表示される。端末２を所持する人がＷｉｒｅｌｅｓｓ  Ａを選択すると、無線通信装置１に接続要求が送信され、無線通信装置１が接続要求を受け付けて接続手続が行われる。
【００４９】
次に、制御部１１は、ステップＳ２０９の処理後の経過時間を計測し、規定時間が経過したか否かを判定する（ステップＳ２１０）。規定時間が経過したならば（ステップＳ２１０：ＹＥＳ）、制御部１１は、機能変更（ステルス機能の無効化）を終了することを他の無線通信装置に通知（ステップＳ２１１）、ステップＳ２０１に戻る。つまり、規定時間が経過すると、Ｗｉｒｅｌｅｓｓ  Ａは表示されなくなる。
【００５０】
［第３実施形態］
制御部１１は、人の動作が予め定められた複数の種類の動作のいずれかである場合に、人の動作の種類に応じて、自装置が備える複数の機能のいずれかを選択する（選択手段の一例）。制御部１１は、選択された機能に応じた識別子を送信することで端末２における識別子の提示の態様を変化させるように送信手段を制御する（送信制御手段の一例）。
【００５１】
図７は、制御処理の流れ図である。最初に、制御部１１は、制御処理を終了するか否かを判定する（ステップＳ３０１）。終了すると判定したならば（ステップＳ３０１：ＹＥＳ）、制御部１１は制御処理を終了する。終了しないと判定したならば（ステップＳ３０１：ＮＯ）、制御部１１は、撮影装置１６から受信した画像データを解析し、人の動作を検出したか否かを判定する（ステップＳ３０２）。人の動作を検出しなかったならば（ステップＳ３０１：ＮＯ）、制御部１１の処理はステップＳ３０１に戻る。人の動作を検出したならば（ステップＳ３０２：ＹＥＳ）、制御部１１は、動作の種類を判定する（ステップＳ３０３）。
【００５２】
図８は、判定テーブルを示す図である。判定テーブルは、人の動作の種類と無線通信装置が選択する機能とを対応付けたテーブルであり、記憶部に記憶されている。図示した例では、選択する機能として、挙手に対してＡＰ機能、手振りに対してＳＴＡ機能が対応付けられている。動作の種類が挙手ならば（ステップＳ３０４：ＹＥＳ）、制御部１１は、ＡＰ機能を選択してアドホックモードを起動する（ステップＳ３０５）。そして、制御部１１は、選択した機能に応じた識別子を含むビーコンの送信を開始する。
【００５３】
図９は、端末２における表示例を示す図である。（ａ）は、人の動作が検出される前の表示例である。この例におけるＷｉｒｅｌｅｓｓ  Ａ（Ｂ、Ｃ）は、ＡＰ機能とＳＴＡ機能のどちらも選択されていない状態を示す識別子である。動作の種類が挙手の場合、制御部１１は、識別子をＡｃｃｅｓｓ  Ｐｏｉｎｔ  Ａに変更したビーコンを送信する。すると、（ｂ）に示すようにＷｉｒｅｌｅｓｓ  Ａに代えてＡｃｃｅｓｓ  Ｐｏｉｎｔ  Ａが端末に表示される。端末を所持する人がＡｃｃｅｓｓ  Ｐｏｉｎｔ  Ａを選択すると、無線通信装置に接続要求が送信され、無線通信装置が接続要求を受け付けて接続手続が行われる。
【００５４】
一方、動作の種類が挙手でなく手振りならば（ステップＳ３０４：ＮＯ、ステップＳ３０６：ＹＥＳ）、制御部１１は、ＳＴＡ機能を選択してアドホックモードを起動する（ステップＳ３０７）。この場合、制御部１１は、識別子をＳｔａｔｉｏｎ  Ａに変更したビーコンを送信する。すると、Ｗｉｒｅｌｅｓｓ  Ａに代えてＳｔａｔｉｏｎ  Ａが端末２に表示される。端末２を所持する人がＳｔａｔｉｏｎ  Ａを選択すると、無線通信装置１に接続要求が送信され、無線通信装置１が接続要求を受け付けて接続手続が行われる。動作の種類が挙手でなく手振りでもないならば（ステップＳ３０４：ＮＯ、ステップＳ３０６：ＮＯ）、制御部１１の処理はステップＳ３０１に戻る。
【００５５】
次に、制御部１１は、制御処理を終了するか否かを判定する（ステップＳ３０８）。終了すると判定したならば（ステップＳ３０８：ＹＥＳ）、制御部１１は制御処理を終了する。終了しないと判定したならば（ステップＳ３０８：ＮＯ）、制御部１１は、アドホックモードを終了するか否かを判定する（ステップＳ３０９）。端末２から通信の終了が通知されたならば、制御部１１はアドホックモードを終了すると判定し（ステップＳ３０９：ＹＥＳ）、アドホックモードを終了して（ステップＳ３１０）、ステップＳ３０１に戻る。端末２から通信の終了が通知されなかったならば、制御部１１はアドホックモードを終了しないと判定し（ステップＳ３０９：ＮＯ）、制御部１１の処理はステップＳ３０８に戻る。
【００５６】
［第４実施形態］
制御部１１は、２人以上の人の動作が検出された場合に、自装置との距離が最短の人の動作の種類に関連付けられた機能を選択する（選択手段の一例）。
【００５７】
図１０は、制御処理の流れ図である。最初に、制御部１１は、制御処理を終了するか否かを判定する（ステップＳ４０１）。終了すると判定したならば（ステップＳ４０１：ＹＥＳ）、制御部１１は制御処理を終了する。終了しないと判定したならば（ステップＳ４０１：ＮＯ）、制御部１１は、撮影装置１６から受信した画像データを解析し、人の動作を検出したか否かを判定する（ステップＳ４０２）。人の動作を検出しなかったならば（ステップＳ４０２：ＮＯ）、制御部１１の処理はステップＳ４０１に戻る。人の動作を検出したならば（ステップＳ４０２：ＹＥＳ）、制御部１１は、検出された人数が２人以上であるか否かを判定する（ステップＳ４０３）。人数が２人以上ならば（ステップＳ４０３：ＹＥＳ）、制御部１１は、検出された人との距離を計測し、距離が最短の人の動作の種類を判定する（ステップＳ４０４）。次に、制御部１１は、動作の種類に関連付けられた機能（ＡＰ又はＳＴＡ）を判定テーブルを参照して選択し、アドホックモードを起動する（ステップＳ４０５）。そして、第３実施形態と同様の手順で接続手続が行われる。
【００５８】
次に、制御部１１は、制御処理を終了するか否かを判定する（ステップＳ４０６）。終了すると判定したならば（ステップＳ４０６：ＹＥＳ）、制御部１１は制御処理を終了する。終了しないと判定したならば（ステップＳ４０６：ＮＯ）、制御部１１は、アドホックモードを終了するか否かを判定する（ステップＳ４０７）。端末２から通信の終了が通知されたならば、制御部１１はアドホックモードを終了すると判定し（ステップＳ４０７：ＹＥＳ）、アドホックモードを終了して（ステップＳ４０８）、ステップＳ４０１に戻る。端末２から通信の終了が通知されなかったならば、制御部１１はアドホックモードを終了しないと判定し（ステップＳ４０７：ＮＯ）、制御部１１の処理はステップＳ４０６に戻る。検出された人数が２人以上でないならば（ステップＳ４０３：ＮＯ）、第３実施形態と同様に、検出された動作の種類に応じた機能を選択してアドホックモードを起動する（ステップＳ４０９）。
【００５９】
［第５実施形態］
制御部１１は、２人以上の人の動作、且つ、複数の種類の動作が検出された場合に、当該複数の種類の各々に関連付けられた機能のうち予め定められた優先度が最高の機能を選択する（選択手段の一例）。
【００６０】
図１１は、制御処理の流れ図である。最初に、制御部１１は、制御処理を終了するか否かを判定する（ステップＳ５０１）。終了すると判定したならば（ステップＳ５０１：ＹＥＳ）、制御部１１は制御処理を終了する。終了しないと判定したならば（ステップＳ５０１：ＮＯ）、制御部１１は、撮影装置１６から受信した画像データを解析し、人の動作を検出したか否かを判定する（ステップＳ５０２）。人の動作を検出しなかったならば（ステップＳ５０２：ＮＯ）、制御部１１の処理はステップＳ５０１に戻る。人の動作を検出したならば（ステップＳ５０２：ＹＥＳ）、制御部１１は、検出された人数が２人以上であるか否かを判定する（ステップＳ５０３）。人数が２人以上ならば（ステップＳ５０３：ＹＥＳ）、制御部１１は、検出された動作の種類が複数であるか否かを判定する（ステップＳ５０４）。
【００６１】
動作の種類が複数であるならば（ステップＳ５０４：ＹＥＳ）、制御部１１は、これらの動作の各々に対応する機能のうち、優先度が最高である機能を判定テーブルを参照して選択し、アドホックモードを起動する（ステップＳ５０５）。例えば、挙手と手振りが検出された場合は、挙手に対応するＡＰ機能の優先度が最高であるから、ＡＰ機能が選択される。端末には、選択された機能に対応する識別子が表示される。
【００６２】
一方、動作の種類が複数でないならば（ステップＳ５０４：ＮＯ）、制御部１１は、この動作に対応する機能を判定テーブルを参照して選択し、アドホックモードを起動する（ステップＳ５０６）。
【００６３】
次に、制御部１１は、制御処理を終了するか否かを判定する（ステップＳ５０７）。終了すると判定したならば（ステップＳ５０７：ＹＥＳ）、制御部１１は制御処理を終了する。終了しないと判定したならば（ステップＳ５０７：ＮＯ）、制御部１１は、アドホックモードを終了するか否かを判定する（ステップＳ５０８）。端末２から通信の終了が通知されたならば、制御部１１はアドホックモードを終了すると判定し（ステップＳ５０８：ＹＥＳ）、アドホックモードを終了して（ステップＳ５０９）、ステップＳ５０１に戻る。端末２から通信の終了が通知されなかったならば、制御部１１はアドホックモードを終了しないと判定し（ステップＳ５０８：ＮＯ）、制御部１１の処理はステップＳ５０７に戻る。
【００６４】
検出された人数が２人以上でないならば（ステップＳ５０３：ＮＯ）、第３実施形態と同様に、検出された動作の種類に応じた機能を選択してアドホックモードを起動する（ステップＳ５１０）。
【００６５】
［第６実施形態］
制御部１１は、３人以上の人の動作、且つ、複数の種類の動作が検出された場合に、当該複数の種類のうち検出された人数が最多の種類に関連付けられた機能を選択する（選択手段の一例）。
【００６６】
図１２は、制御処理の流れ図である。最初に、制御部１１は、制御処理を終了するか否かを判定する（ステップＳ６０１）。終了すると判定したならば（ステップＳ６０１：ＹＥＳ）、制御部１１は制御処理を終了する。終了しないと判定したならば（ステップＳ６０１：ＮＯ）、制御部１１は、撮影装置１６から受信した画像データを解析し、人の動作を検出したか否かを判定する（ステップＳ６０２）。人の動作を検出しなかったならば（ステップＳ６０２：ＮＯ）、制御部１１の処理はステップＳ６０１に戻る。人の動作を検出したならば（ステップＳ６０２：ＹＥＳ）、制御部１１は、検出された人数が３人以上であるか否かを判定する（ステップＳ６０３）。人数が３人以上ならば（ステップＳ６０３：ＹＥＳ）、制御部１１は、検出された動作の種類が複数であるか否かを判定する（ステップＳ６０４）。
【００６７】
動作の種類が複数であるならば（ステップＳ６０４：ＹＥＳ）、制御部１１は、検出された人数が最多の種類に関連付けられた機能を判定テーブルを参照して選択し、アドホックモードを起動する（ステップＳ６０５）。端末には、選択された機能に対応する識別子が表示される。
【００６８】
一方、動作の種類が複数でないならば（ステップＳ６０４：ＮＯ）、制御部１１は、この動作に対応する機能を判定テーブルを参照して選択し、アドホックモードを起動する（ステップＳ６０６）。
【００６９】
次に、制御部１１は、制御処理を終了するか否かを判定する（ステップＳ６０７）。終了すると判定したならば（ステップＳ６０７：ＹＥＳ）、制御部１１は制御処理を終了する。終了しないと判定したならば（ステップＳ６０７：ＮＯ）、制御部１１は、アドホックモードを終了するか否かを判定する（ステップＳ６０８）。端末２から通信の終了が通知されたならば、制御部１１はアドホックモードを終了すると判定し（ステップＳ６０８：ＹＥＳ）、アドホックモードを終了して（ステップＳ６０９）、ステップＳ６０１に戻る。端末２から通信の終了が通知されなかったならば、制御部１１はアドホックモードを終了しないと判定し（ステップＳ６０８：ＮＯ）、制御部１１の処理はステップＳ６０７に戻る。
【００７０】
検出された人数が３人以上でないならば（ステップＳ６０３：ＮＯ）、第４実施形態又は第５実施形態と同様の処理により、動作の種類に応じた機能を選択してアドホックモードを起動する（ステップＳ６１０）。
【００７１】
［第７実施形態］
制御部１１は、２人以上の人の動作が自装置と他の無線通信装置とで検出され、且つ、自装置との距離が最短の人との距離が閾値以下である場合に、当該人の動作の種類に関連付けられた機能を選択する（選択手段の一例）。
【００７２】
図１３は、制御処理の流れ図である。最初に、制御部１１は、制御処理を終了するか否かを判定する（ステップＳ７０１）。終了すると判定したならば（ステップＳ７０１：ＹＥＳ）、制御部１１は制御処理を終了する。終了しないと判定したならば（ステップＳ７０１：ＮＯ）、制御部１１は、撮影装置１６から受信した画像データを解析し、人の動作を検出したか否かを判定する（ステップＳ７０２）。人の動作を検出しなかったならば（ステップＳ７０２：ＮＯ）、制御部１１の処理はステップＳ７０１に戻る。人の動作を検出したならば（ステップＳ７０２：ＹＥＳ）、制御部１１は、検出された人数が２人以上であるか否かを判定する（ステップＳ７０３）。
【００７３】
人数が２人以上ならば（ステップＳ７０３：ＹＥＳ）、制御部１１は、２人以上の人の動作を検出したか否かを他の無線通信装置に問い合わせる（ステップＳ７０４）。他の無線通信装置でも２人以上の人の動作が検出されたならば（ステップＳ７０４：ＹＥＳ）、制御部１１は、検出された人と自装置との距離を計測し、距離が最短の人を特定する（ステップＳ７０５）。
【００７４】
次に、制御部１１は、距離が最短の人との距離が閾値以下であるならば（ステップＳ７０６：ＹＥＳ）、この人の動作に対応する機能を判定テーブルを参照して選択し、電波強度を定められた強度に低下させてアドホックモードを起動する（ステップＳ７０７）。距離が最短の人との距離が閾値以下でないならば（ステップＳ７０６：ＮＯ）、制御部１１の処理はステップＳ７０１に戻る。
【００７５】
次に、制御部１１は、制御処理を終了するか否かを判定する（ステップＳ７０８）。終了すると判定したならば（ステップＳ７０８：ＹＥＳ）、制御部１１は制御処理を終了する。終了しないと判定したならば（ステップＳ７０８：ＮＯ）、制御部１１は、アドホックモードを終了するか否かを判定する（ステップＳ７０９）。端末２から通信の終了が通知されたならば、制御部１１はアドホックモードを終了すると判定し（ステップＳ７０９：ＹＥＳ）、アドホックモードを終了して（ステップＳ７１０）、ステップＳ７０１に戻る。端末２から通信の終了が通知されなかったならば、制御部１１はアドホックモードを終了しないと判定し（ステップＳ７０９：ＮＯ）、制御部１１の処理はステップＳ７０８に戻る。
【００７６】
検出された人数が２人以上でない（ステップＳ７０３：ＮＯ）、又は、他の無線通信装置では２人以上の人の動作が検出されなかった（ステップＳ７０４：ＮＯ）ならば、第４実施形態又は第５実施形態と同様の処理により、動作の種類に応じた機能を選択してアドホックモードを起動する（ステップＳ７１１）。
【００７７】
［第８実施形態］
制御部１１は、２人以上の人の動作が自装置と他の無線通信装置とで検出された場合に、予め定められた複数の手順のうち自装置との距離が最短の人との距離に対応する手順で機能を選択する（選択手段の一例）。具体的には、制御部１１は、自装置との距離が最短の人との距離に応じて、機能を選択する条件を異ならせる。例えば、制御部１１は、自装置との距離が最短の人との距離が第１閾値未満である場合に、自装置との距離が最短の人の動作の種類に関連付けられた機能を選択し、自装置との距離が最短の人との距離が第１閾値以上第２閾値未満である場合に、検出された動作の種類に関連付けられた機能のうち予め定められた優先度が最高の機能を選択し、自装置との距離が最短の人との距離が第２閾値以上第３閾値未満である場合に、検出された動作の種類のうち検出された人数が最多の種類に関連付けられた機能を選択する。
【００７８】
図１４は、制御処理の流れ図である。最初に、制御部１１は、制御処理を終了するか否かを判定する（ステップＳ８０１）。終了すると判定したならば（ステップＳ８０１：ＹＥＳ）、制御部１１は制御処理を終了する。終了しないと判定したならば（ステップＳ８０１：ＮＯ）、制御部１１は、撮影装置１６から受信した画像データを解析し、人の動作を検出したか否かを判定する（ステップＳ８０２）。人の動作を検出しなかったならば（ステップＳ８０２：ＮＯ）、制御部１１の処理はステップＳ８０１に戻る。人の動作を検出したならば（ステップＳ８０２：ＹＥＳ）、制御部１１は、検出された人数が２人以上であるか否かを判定する（ステップＳ８０３）。
【００７９】
人数が２人以上ならば（ステップＳ８０３：ＹＥＳ）、制御部１１は、２人以上の人の動作を検出したか否かを他の無線通信装置に問い合わせる（ステップＳ８０４）。他の無線通信装置でも２人以上の人の動作が検出されたならば（ステップＳ８０４：ＹＥＳ）、制御部１１は、検出された人と自装置との距離を計測し、距離が最短の人を特定する（ステップＳ８０５）。
【００８０】
次に、制御部１１は、距離が最短の人との距離が３ｍ（第１閾値の一例）未満であるならば（ステップＳ８０６：ＹＥＳ）、この人の動作に対応する機能を判定テーブルを参照して選択する（ステップＳ８０７、条件１による機能選択）。距離が最短の人との距離が３ｍ以上５ｍ（第２閾値の一例）未満ならば（ステップＳ８０６：ＮＯ、ステップＳ８０８：ＹＥＳ）、制御部１１は、検出された動作の種類に関連付けられた機能のうち予め定められた優先度が最高の機能を選択する（ステップＳ８０９、条件２による機能選択）。距離が最短の人との距離が５ｍ以上１０ｍ（第３閾値の一例）未満ならば（ステップＳ８０８：ＮＯ、ステップＳ８１０：ＹＥＳ）、制御部１１は、検出された動作の種類のうち検出された人数が最多の種類に関連付けられた機能を選択する（ステップＳ８１１、条件３による機能選択）。距離が最短の人との距離が１０ｍ以上ならば（ステップＳ８１０：ＮＯ）、制御部１１は、この人の動作に対応する機能を判定テーブルを参照して選択する（ステップＳ８１２、条件１による機能選択）。
【００８１】
以上の処理により機能が選択されたならば、制御部１１は、電波強度を定められた強度に低下させてアドホックモードを起動する（ステップＳ８１３）。次に、制御部１１は、アドホックモードを終了するか否かを判定する（ステップＳ８１４）。端末から通信の終了が通知されたならば、制御部１１はアドホックモードを終了すると判定し（ステップＳ８１４：ＹＥＳ）、アドホックモードを終了して（ステップＳ８１５）、ステップＳ８０１に戻る。
【００８２】
検出された人数が２人以上でない（ステップＳ８０３：ＮＯ）、又は、他の無線通信装置では２人以上の人の動作が検出されなかった（ステップＳ８０４：ＮＯ）ならば、第４実施形態又は第５実施形態と同様の処理により、動作の種類に応じた機能を選択してアドホックモードを起動する（ステップＳ８１６）。
【００８３】
［変形例］
図１５は、端末２における表示例を示す図である。この例では、制御部１１が、端末２に表示される識別子の外観を変化させることで端末２における識別子の提示の態様を変化させるように送信手段を制御する（送信制御手段の一例）。
【００８４】
（ａ）は、Ｗｉｒｅｌｅｓｓ  Ａの背景を着色した例である。制御部１１は、識別子の背景の色を示す情報を含むビーコンを送信し、端末２は、この情報に従って背景の色を表示する。
【００８５】
（ｂ−１）、（ｂ−２）は、Ｗｉｒｅｌｅｓｓ  Ａを点滅させる例である。制御部１１は、識別子を含むビーコンと識別子を含まないビーコンをそれぞれ決められた期間だけ交互に送信する。あるいは、識別子を含むビーコンを送信する期間とビーコンを送信しない期間が繰り返されるようにしてもよい。
【００８６】
（ｃ）は、Ｗｉｒｅｌｅｓｓ  ＡをＷｉｒｅｌｅｓｓ  Ａ  Ｔｈｉｓに変更した例である。制御部１１は、Ｗｉｒｅｌｅｓｓ  Ａに代えてＷｉｒｅｌｅｓｓ  Ａ  Ｔｈｉｓを含むビーコンを送信する。
【００８７】
（ｄ−２）は、Ｗｉｒｅｌｅｓｓ  Ａが表示される位置を変更した例である。制御部１１は、識別子が表示される位置の座標を示す情報を含むビーコンを送信し、端末２は、この情報に従う位置に識別子を表示させる。位置の変更前には（ｄ−１）に示す位置に表示されていたＷｉｒｅｌｅｓｓ  Ａが、変更後には（ｄ−２）に示す位置に表示される。
【００８８】
上記の例では、識別子の提示の態様を変化させる手段として識別子の表示の態様を変化させる例を示したが、識別子を示す音声を出力するように構成されてもよい。
【符号の説明】
【００８９】
１…無線通信装置、１…制御部、１２…記憶部、１３…有線通信部、１４…無線通信部、１５…入出力ＩＦ部、１６…撮影装置、２…端末、２１…制御部、２２…記憶部、２３…無線通信部、２４…表示部、２５…操作部
【図１】
2018182385.tif 000003
【図２】
2018182385.tif 000004
【図３】
2018182385.tif 000005
【図４】
2018182385.tif 000006
【図５】
2018182385.tif 000007
【図６】
2018182385.tif 000008
【図７】
2018182385.tif 000009
【図８】
2018182385.tif 000010
【図９】
2018182385.tif 000011
【図１０】
2018182385.tif 000012
【図１１】
2018182385.tif 000013
【図１２】
2018182385.tif 000014
【図１３】
2018182385.tif 000015
【図１４】
2018182385.tif 000016
【図１５】
2018182385.tif 000017